【事件の表示】
　平成　９年特許願第　３８８２６号「光ディスク装置のアクセス方法」拒絶査定に対する審判事件［平成１０年　３月２４日出願公開、特開平１０−　７９１２６］について、次のとおり審決する。
【結　論】
　本件審判の請求は、成り立たない。
【理　由】
１．手続の経緯
　本件審判の請求にかかる特許願（以下、「本願」という）は、平成９年２月２４日に出願されたもので、平成１４年９月２５日付けで、特許法第２９条第２項、同法第２９条の２、同法第３６条、同法第３７条の各規定により特許を受けられない旨の拒絶理由通知がなされ、平成１５年２月４日付けで、本願は、前記２９条第２項の規定により拒絶すべきものである旨の査定がなされたものである。
　そして、平成１５年３月１４日付けで、特許法第１２１条第１項に基づき審判請求がなされ、その後、当審より、同年７月１０日付で、請求項１〜３に係る各発明について、特許法第２９の２の規定により特許を受けられない、また発明の詳細な説明ないし特許請求の範囲の記載は特許法第３６条第４項、及び第６項第２号に規定する要件を満たしていないとする旨の最後の拒絶理由通知がなされ、その応答期間内である同年９月１６日付けで手続補正（以下、「本件補正」という）がなされたものである。
　
　
　
２．平成１５年９月１６日付け手続補正についての補正の却下の決定
　〔補正却下の決定の結論〕  
　平成１５年９月１６日付の手続補正を却下する。　
　
　〔理由〕
　１）本件補正
　上記手続補正は、特許請求の範囲及び発明の詳細な説明並びに図面についてのものである。
　そして、特許請求の範囲の請求項１においては、２層型光ディスクに関して「２層型ＤＶＤ」と特定し、また光スポットが目標記録層に移動後、目標再生位置に達するまでの処理に関して「（対物レンズを２層型ＤＶＤの厚さ方向に移動させ、）反射光より読み取った再生信号からディスク上の物理的な現在位置を確認し、前記物理的な再生目標位置との２点間の平面上の距離を算出し、算出した距離に応じた制御信号を前記スライダーに与え」と再生目標位置に達するまでの算出手順等を明確にしてきたもので、これは実質的に、平成１４年１１月２８日付手続補正書での請求項２，３に記載のある技術的事項の繰上げであり、要するに、２層型光ディスク及び目標位置までの光スポットの動作処理工程を具体的にする限定要素事項の付加である。
　また、発明の詳細な説明並びに図面の補正は不明瞭記載の訂正ないし明確化である。
　いずれの補正内容も、特許法第１７条の２第４項第２号で規定する特許請求の範囲の減縮ないし同項第４項第３号で規定する誤記の訂正及び同項第４号で規定する明瞭でない記載の釈明に該当する。
　
　次に、本件補正後の上記請求項１に記載された発明（以下、「補正後発明」という）が、特許出願の際独立して特許を受けることができるものであるか（特許法第１７条の２第５項において準用する同法第１２６条第４項の規定に適合するか）について以下検討する。
　
　
　２）補正後発明
　補正後発明は以下のとおりである。
　「複数のセクタを記録した第１および第２の記録層を有し、前記複数のセクタは各々のセクタが記録された記録層を示す情報を有しており、前記第１及び第２の記録層を一方の方向から再生可能な２層型
ＤＶＤ
　レーザ光を発射するレーザと、前記レーザ光を集光し光スポットを形成する対物レンズと、該対物レンズを前記２層型
ＤＶＤ
　該ピックアップを前記２層型
ＤＶＤ
　前記２層型
ＤＶＤ
ＤＶＤ
ＤＶＤ
ＤＶＤ
反射光より読み取った再生信号からディスク上の物理的な現在位置を確認し、前記物理的な再生目標位置との２点間の平面上の距離を算出し、算出した距離に応じた制御信号を前記スライダーに与え
ＤＶＤ
　を具備することを特徴とする光ディスク装置」
　
　
　３）先願発明
　当審からの最後の拒絶理由通知の理由１で引用された、引用文献１である特願平８−９２１６０号（特開平９−２８２６７５号公報参照）の明細書又は図面（以下、「先願明細書」という。）には、以下の記載がある。
　（１）“【０００１】【発明の属する技術分野】本発明は、多層光ディスク装置に関し、特に現在層と目標アクセス層が異なる場合にも高速にアクセスする多層光ディスク装置に関する。”
　（２）“【０００２】多層光ディスク装置においては、同一の光ディスク上に複数の記録層を重複して設けられており、読出し用光ピックアップの合焦位置を変更するフォーカスジャンプを行うことによって、異なる記録層からの読出しを行うことができるようになっている。”
　（３）“【０００３】このような多層光ディスク装置においては、現在位置の記録層から異なる記録層へのアクセスを、極力、短時間で行えるようにすることが必要である。”　
　（４）“【０００６】図５に示すように、従来の多層光ディスク装置は、多層構造の光ディスク５１に対して、そのディスクに記録されている信号を再生する光ピックアップ５２と、再生信号から記録情報である高周波（ＲＦ）信号と、複数種類のサーボ信号とを生成する信号検出回路５３と、複数種類のサーボ信号に基づく各サーボ制御を行うサーボ制御回路５４と、光ピックアップ５２を半径方向に駆動するスレッドモータ５５と、光ディスク５１の回転駆動を行うスピンドルモータ５６と、ＲＦ信号からデータ信号と、アドレス信号と、スピンドルモータを駆動するためのＰＬＬ（Phase Locked Loop ）用信号を作成する信号処理回路５７と、信号検出回路５３からのトラッキングエラー信号に基づいてトラックカウントパルスを生成するトラックカウントパルス生成回路５８と、主としてサーボ制御回路５４と信号処理回路５７とを制御することによって装置全体の動作を制御するコントロール回路５９とを含んでいる。”
　（５）“【０００７】信号検出回路５３は、光ピックアップ５２の再生信号から、ＲＦ信号と、光ピックアップ５２の合焦位置の誤差を示すフォーカスエラー信号と、光ピックアップ５２の信号トラックに対するトラッキングの誤差を示すトラッキングエラー信号とを生成する。
　（６）“【０００８】サーボ制御回路５４は、光ディスク５１に対するサーボ制御を行うものであって、フォーカスエラー信号とトラッキングエラー信号とから、光ピックアップ５２における、光ヘッドの可動部分を駆動するアクチュエータと、光ピックアップを半径方向に移動させるスレッドモータ５５とを制御し、信号処理回路５７からのスピンドルモータ用ＰＬＬ信号をもとに、光ディスクを回転させるスピンドルモータ５６の回転速度を制御する。”
　（７）“【０００９】サーボ制御回路５４はまた、アクセス時、目標トラックに到達するために必要な、スレッド送り、トラックジャンプ、層間のフォーカスジャンプを行う。トラックカウントパルス生成回路５８は、アクセス中における、粗シーク動作時や密シーク動作時の通過トラック数をカウントするための、パルスを生成する。”
　（８）“【００１１】図６は、従来の多層光ディスク装置における、光ディスク上のアクセス経路の例を示すアクセス経路図である。また、図７は、従来の多層光ディスク装置における、アクセス時のコントロール回路の動作を示すフローチャート図である。”
　（９）“【００１２】図６、図７においては、２層目７２の現在位置７３から、１層目７１の目標位置７５へのアクセスを行う場合の、アクセス位置の移動経路を示している。”
　（１０）“【００１３】光ピックアップ５２が現在位置７３を再生中、コントロール回路５９に対して、目標位置７５までのアクセスが要求された場合、まずステップＳ２０１で現在位置７３のアドレスを読み込むことによって、目標位置７５が１層目７１にあることを検出する。
　【００１４】次にステップＳ２０２で、アクセス経路７６で示すように、１層目７１へフォーカスジャンプを行う。次にステップＳ２０３で、ジャンプ位置のアドレスを読み込み、位置７４であることを検出したとき、目標位置７５までのトラック数を算出する。
　【００１５】次にステップＳ２０４で、トラックカウントパルス生成回路５８からのパルスを、算出したトラック数分カウントしながら粗シークを行う。なお、粗シーク時の距離検出方法としては、外部エンコーダにより読み込む方法もある。
　【００１６】粗シークを終了したならば、ステップＳ２０５でその位置のアドレスを読み込み、目標位置７５までのトラック数を算出する。次にステップＳ２０６で、算出したトラック数分の密シークを行う。”
“【００１７】次にステップＳ２０７でその位置のアドレスを読み込み、目標位置７５までの距離が１トラック以内であることを確認する。次にステップＳ２０８で回転待ちを行い、目標位置７５を検出したとき、アクセスを終了する。”
　
　ここで、図面（主として第５図〜第７図を参照。なお、第７図ステップ１００番台は２００番台の誤記である）を参照して整理すると、結局のところ、先願明細書には以下の発明が開示されているものと認められる（以下、「先願発明」という。）。
　『同一の光ディスク上に複数の記録層を重複して設けられている多層構造の光ディスク５１に対して、そのディスクに記録されている信号を再生する光ピックアップ５２と、光ピックアップ５２における、光ヘッドの可動部分を駆動するアクチュエータと、光ピックアップ５２を半径方向に駆動するスレッドモータ５５と、光ディスク５１の回転駆動を行うスピンドルモータ５６とを有しており、現在層と目標アクセス層が異なる場合に読出し用光ピックアップの合焦位置を変更するフォーカスジャンプを行うことによって、異なる記録層からの読出しを高速にアクセスする多層光ディスク装置に関するもので、
　光ピックアップ５２が現在位置７３を再生中、コントロール回路５９に対して、目標位置７５までのアクセスが要求された場合、まずステップＳ２０１（図７：アドレス読み込み）で現在位置７３のアドレスを読み込むことによって、目標位置７５が１層目７１にあることを検出する、
　次にステップＳ２０２（図７：フォーカス下方ジャンプ）で、アクセス経路７６で示すように、１層目７１へフォーカスジャンプを行う、
　次にステップＳ２０３（図７：アドレス読み込み）で、ジャンプ位置のアドレスを読み込み、位置７４であることを検出したとき、目標位置７５までのトラック数を算出する、
　次にステップＳ２０４（図７：粗シーク）で、トラックカウントパルス生成回路５８からのパルスを、算出したトラック数分カウントしながら粗シークを行い、さらにステップＳ２０６（図７：密シーク）で密シークを行う、
　制御手段を具備する光ディスク装置』
　
　
　４）対比・判断
　〔対比〕
　そこで、補正後発明と先願発明とを対比すると、両者は光ディスク装置であり、先願発明の“同一の光ディスク上に複数の記録層を重複して設けられている多層構造の光ディスク５１”において、光ディスクの記録層には複数のセクタが形成されていることは技術常識であり、また、対応する実施形態図には２層型の例示があることから、これは補正後発明の「複数のセクタを記録した第１および第２の記録層を有した光ディスク装置」に相当する。
　また、先願発明の“現在層と目標アクセス層が異なる場合に読出し用光ピックアップの合焦位置を変更するフォーカスジャンプを行う”は、一方向からの読出しであることは実施形態図を参酌しても明らかであるから、補正後発明の「第１及び第２の記録層を一方の方向から再生可能な２層型」に相当する。
　また、先願発明の“光ピックアップの合焦位置を変更するフォーカスジャンプ”“光ピックアップ５２における、光ヘッドの可動部分を可動部分を駆動するアクチュエータ”等の記載は、光は通常レーザ光源であり、“合焦位置を変更する”とはレーザ光を集光する対物レンズの移動によるものであるから、これは実質的に補正後発明の「レーザ光を発射するレーザと、前記レーザ光を集光し光スポットを形成する対物レンズと、該対物レンズを２層型の厚さ方向に移動させるフォーカスアクチュエータを有するピックアップ」に相当する。
　また、先願発明の“光ピックアップ５２を半径方向に駆動するスレッドモータ５５”は補正後発明の「ピックアップを２層型の半径方向に移動させるスライダー」に相当する。
　また、先願発明の“光ピックアップ５２が現在位置７３を再生中、コントロール回路５９に対して、目標位置７５までのアクセスが要求された場合、まずステップＳ２０１で現在位置７３のアドレスを読み込むことによって、目標位置７５が１層目７１にあることを検出する”における、『検出する』とは、技術的にみて現在位置のアドレスを読み込むことで現在位置の層を把握、目標位置がいずれの層であるかの把握を前提としていく、要するに、現在位置層と目標位置層を確認し判断した結果の意味と解されるもので（現在位置に目標位置層を示唆する情報があるわけがないから）、当該構成は補正後発明の「２層型の反射光より読み取った再生信号から現在位置を確認し、与えられた再生目標位置から再生目標位置が何れの記録層に記録されているかを判断し、再生目標位置を含む記録層が現在位置を含む記録層と同じであるか判断し」に実質相当するものである。
　また、先願発明の前記ステップに続いての“次にステップＳ２０２で、アクセス経路７６で示すように、１層目７１へフォーカスジャンプを行う”及び対応する第６図，第７図の実施形態図から、“ジャンプを行う”は、異なる記録層であるかの判断結果を前提としてのフォーカスジャンプであるから、これは補正後発明の「再生目標位置を含む記録層が異なる記録層であると判断されたときには、フォーカスアクチュエータに制御信号を与え、光スポットが目標記録層に移動するよう、対物レンズを２層型の厚さ方向に移動」に実質相当する。
　また、先願発明に記載の“次にステップＳ２０３で、ジャンプ位置のアドレスを読み込み、位置７４であることを検出したとき、目標位置７５までのトラック数を算出する”は、補正後発明の「その後、反射光より読み取った再生信号からディスク上の現在位置を確認し、再生目標位置との２点間の平面上の距離を算出し」に相当する。
　また、先願発明の“次にステップＳ２０４で、トラックカウントパルス生成回路５８からのパルスを、算出したトラック数分カウントしながら粗シークを行う”は粗シークはスレッドモータ５５の駆動によるものとなるから、これは補正後発明の「算出した距離に応じた制御信号を前記スライダーに与え、光スポットが再生目標位置に達するよう、ピックアップを前記２層型の半径方向に移動させる制御手段」に相当する。
　結局のところ、両発明は、
「複数のセクタを記録した第１および第２の記録層を有し、前記第１及び第２の記録層を一方の方向から再生可能な２層型を再生する光ディスク装置であって、
　レーザ光を発射するレーザと、前記レーザ光を集光し光スポットを形成する対物レンズと、該対物レンズを前記２層型の厚さ方向に移動させるフォーカスアクチュエータと、を有するピックアップと、
　該ピックアップを前記２層型の半径方向に移動させるスライダーと、
　前記２層型の反射光より読み取った再生信号から現在位置を確認し、与えられた再生目標位置から再生目標位置が何れの記録層に記録されているかを判断し、再生目標位置を含む記録層が現在位置を含む記録層と同じであるか判断し、再生目標位置を含む記録層が異なる記録層であると判断されたときには、前記フォーカスアクチュエータに制御信号を与え、光スポットが目標記録層に移動するよう、前記対物レンズを前記２層型の厚さ方向に移動させ、その後、反射光より読み取った再生信号からディスク上の現在位置を確認し、再生目標位置との２点間の平面上の距離を算出し、算出した距離に応じた制御信号を前記スライダーに与え、光スポットが再生目標位置に達するよう、前記ピックアップを前記２層型半径方向に移動させる制御手段と、
　を具備することを特徴とする光ディスク装置」
　で一致すると認められるものの、以下イ〜ロの点で形式的に一応の相違がある。
　
　相違点イ．
　複数のセクタを記録した各記録層について、補正後発明は「複数のセクタは各々記録された記録層を示す情報を有している」ものであるが、先願発明は記録層までの情報を有する言及がない点。
　
　相違点ロ．
　多層構造光ディスクについて、補正後発明のものは「２層型ＤＶＤ」であるが、先願発明には実施例として２層型であるがＤＶＤなる限定をされてない点。
　
　相違点ハ．
　現在位置及び再生目標等の位置情報について、補正後発明のものは、ディスク上は物理的位置情報で、再生目標位置指示は論理的位置情報でこれを物理的位置情報へ変換する手順で行うものであるが、先願発明にはこの手順について言及がされてない点。
　
　〔判断〕
　相違点イ．に関して、
　多層構造の光ディスクにおいての「セクタは各々記録された記録層を示す情報を有している」なる構成は出願人も認識している周知自明の構成にすぎないものであるから（一例として、特開平５−１０１３９８号公報【００２５】【００７２】【０１７１】参照）、先願発明においても、多層構造であり課題を達成していく構成上、現在位置が何れの層にあたるかの情報は不可欠で、当業者が、単に、必要に応じて適宜採用できる事項のものである。
　
　相違点ロ．に関して、
　「２層型ＤＶＤ」は周知自明で、このような特定に特段の技術的意義を見いだせない。そして、先願発明も一実施形態は２層型であり、２層型ＤＶＤは適宜に成し得るものである。
　
　相違点ハ．に関して、
　光ディスク上の物理的位置情報は適宜変わるもので、通常は再生目標位置を論理的位置情報で指示し、これを物理位置情報に変換してアクセスしていくことはごく普通の手法である（必要あらば：尾上守夫　他４名、“光ディスク術”第２版、株式会社ラジオ技術社、平成元年１０月１日ｐ．２２２−２３３の特にｐ．２２４の（１）セクタ・フォーマットの構造、ｐ．２３２（２）物理的な番地と論理番地　参照）。また、変換手段においても、例えば、論理的位置と物理的位置との対応関係をもつ変換テーブルで行う等、自明の手段で特段のものではない（必要あらば：特開平２−１５８９８６号公報参照）。
　そして、先願発明のものには“光ピックアップ５２が現在位置７３を再生中、コントロール回路５９に対して、目標位置７５までのアクセスが要求された場合、まずステップＳ２０１で現在位置７３のアドレスを読み込むことによって、目標位置７５が１層目７１にあることを検出する”なる記載（上記２．３）（１０）の段落【００１３】）があり、論理的位置情報ないし物理的位置情報と明確には記載されていないものの、上記したように論理的位置情報指示及び物理的位置情報指示はごく普通の手法であることを勘案すると、コントロール回路に対しての“目標位位置７５の指示情報”は「論理的位置情報」の、“現在位置７３のアドレス情報”はディスク上での現再生位置で「物理的位置情報」のことであると解される。
　さらに、上記現在位置情報が物理的アドレスと解される理由としては、先願発明には“目標位置７５までのトラック数を算出する”なる記載があり、効率的算出を考慮すれば双方とも物理的アドレスであると解される。
　そして、両情報のディメンションを整合させるべく、目標位置を物理的アドレスに変換、両者の比較をもっていずれの層にあるかを判定、即ち“検出”しているものと認められる。
　したがって、上記相違点ハは、先願発明において実質的に内在ないし実施段階で当業者が、単に、必要に応じて適宜成し得る構成事項にすぎない。また、審判請求人は当審の拒絶理由通知に応答した意見書で「１層目の最終アドレスが管理情報としてディスクに管理されていることが規格による自明の技術」であるとしているが、自明の技術であれば、これを採用しての物理的情報での変換判断であるにしても、このことで特段技術的意義は見いだせない。
　
　結局のところ、補正後発明が採用している上記各相違点は、いずれも、先願明細書に記載された発明のものに実質的に記載されている、ないし当業者が、単に、必要に応じて適宜成せる構成であり、しかも、この出願の発明者がその出願前の特許出願に係る上記の発明をした者と同一ではなく、またこの出願の時において、その出願人が上記特許出願の出願人と同一でもないので、特許法第２９条の２の規定により、特許を受けることができないものである。　　
　
　
　５）補正却下の決定についてむすび
　以上のとおり、本件補正は、特許法第１７条の２第５項で準用する特許法第１２６条第４項の規定に違反するものであり、特許法第１５９条第１項で準用する特許法第５３条第１項の規定により却下されるべきものである。
　
　
　
　３．本願について
　１）本願発明
　平成１５年９月１６日付けの手続補正は、上記のとおり却下されたので、本願請求項１に係る発明は、平成１４年１１月２８日付けの手続補正書により補正された明細書及び図面からみて、特許請求の範囲請求項１〜３に記載され事項により特定されるとおりのものと認められるところ、その請求項１の記載は、以下のとおりのものである。
　「複数のセクタを記録した第１および第２の記録層を有し、前記複数のセクタは各々のセクタが記録された記録層を示す情報を有しており、前記第１及び第２の記録層を一方の方向から再生可能な２層型光ディスク、を再生する光ディスク装置であって、
　レーザ光を発射するレーザと、前記レーザ光を集光し光スポットを形成する対物レンズと、該対物レンズを前記２層型光ディスクの厚さ方向に移動させるフォーカスアクチュエータと、を有するピックアップと、
　該ピックアップを前記２層型光ディスクの半径方向に移動させるスライダーと、
　前記２層型光ディスクの反射光より読み取った再生信号からディスク上の物理的な現在位置を確認し、論理的な再生目標位置からディスク上の物理的な再生目標位置に変換し、該物理的な再生目標位置が何れの記録層に記録されているかを判断し、再生目標位置を含む記録層が現在位置を含む記録層と同じであるか判断し、再生目標位置を含む記録層が異なる記録層であると判断されたときには、前記フォーカスアクチュエータに制御信号を与え、光スポットが目標記録層に移動するよう、前記対物レンズを前記２層型光ディスクの厚さ方向に移動させ、その後、前記スライダーに制御信号を与え、光スポットが再生目標位置に達するよう、前記ピックアップを前記２層型光ディスクの半径方向に移動させる制御手段と、
　を具備することを特徴とする光ディスク装置。」（以下、「本願発明」という）
　
　
　２）当審で通知した引用文献及びその記載内容
　これに対して、平成１５年７月１０日付け当審からの最後の拒絶理由通知の理由１で引用された引用文献１である特願平８−９２１６０号（特開平９−２８２６７５号公報参照）の明細書または図面（「先願明細書」）の記載事項は、上記２．３）で示したとおりのものであって、その発明（「先願発明」）は、上記２．３）で示したとおりのものである。
　
　
　３）対比・判断
　〔対比〕
　本願発明と先願発明とを対比すると、両発明は、
「複数のセクタを記録した第１および第２の記録層を有し、前記複数のセクタは各々のセクタが記録された記録層を示す情報を有しており、前記第１及び第２の記録層を一方の方向から再生可能な２層型光ディスク、を再生する光ディスク装置であって、
　レーザ光を発射するレーザと、前記レーザ光を集光し光スポットを形成する対物レンズと、該対物レンズを前記２層型光ディスクの厚さ方向に移動させるフォーカスアクチュエータと、を有するピックアップと、
　該ピックアップを前記２層型光ディスクの半径方向に移動させるスライダーと、
　前記２層型光ディスクの反射光より読み取った再生信号からディスク上の物理的な現在位置を確認し、論理的な再生目標位置からディスク上の物理的な再生目標位置に変換し、該物理的な再生目標位置が何れの記録層に記録されているかを判断し、再生目標位置を含む記録層が現在位置を含む記録層と同じであるか判断し、再生目標位置を含む記録層が異なる記録層であると判断されたときには、前記フォーカスアクチュエータに制御信号を与え、光スポットが目標記録層に移動するよう、前記対物レンズを前記２層型光ディスクの厚さ方向に移動させ、その後、前記スライダーに制御信号を与え、光スポットが再生目標位置に達するよう、前記ピックアップを前記２層型光ディスクの半径方向に移動させる制御手段と、
　を具備することを特徴とする光ディスク装置」
で一致すると認められるものの、以下ａ〜ｂの点で形式的に一応の相違がある。
　
　相違点ａ．
　複数のセクタを記録した各記録層について、本願発明は「複数のセクタは各々記録された記録層を示す情報を有している」ものであるが、先願発明には記録層までの情報を有する言及がない点。
　
　相違点ｂ．
　現在位置及び再生目標等の位置情報について、本願発明のものは、ディスク上は物理的位置情報で、再生目標位置指示は論理的位置情報でこれを物理的位置情報へ変換する手順で行うものであるが、先願発明にはこの手順について言及がされていない点。
　
　〔判断〕
　　相違点ａ及びｂは、各々、上記２．〔理由〕４）〔対比〕で記載した『相違点イ』『相違点ハ』で記載した事項に相当するものであって、そして両相違点の判断は、同じく〔判断〕で『相違点イ．に関して』『相違点ハ．に関して』に記載したとおりのものである。
　要するに、いずれも先願明細書に記載された発明のものに実質的に記載されている、ないし当業者が、単に、必要に応じて適宜成せる構成事項のものである。
　
　したがって、本願発明が採用している各相違点は、いずれも、先願明細書に記載された発明のものに実質的に記載されている、ないし当業者が、単に、必要に応じて適宜成せる構成事項であるから、本願発明は先願発明と実質的に同一である。
　
　
　
　４．むすび
　以上のとおりであるから、本願請求項１に係る発明は、当審において通知した先願発明または図面に記載された発明と同一であると認められ、しかも、この出願の発明者がその出願前の上記特許出願に係る上記の発明をした者と同一ではなく、また、この出願の時において、その出願人が上記先願発明の出願人と同一でもないので、特許法第２９条の２の規定により、特許を受けることができない。
　
　よって、結論のとおり審決する。